【事件の表示】
　特願２００７−５３４５３７「弾性ウェブ材を具備してなる吸収用品」拒絶査定不服審判事件〔平成１８年　４月１３日国際公開、ＷＯ２００６／０３８８３７、平成２０年　５月１５日国内公表、特表２００８−５１５４７９〕について、次のとおり審決する。
【結　論】
　本件審判の請求は、成り立たない。
【理　由】
１．手続の経緯 
　本願は、２００４年１０月４日を国際出願日とする出願であって、平成２２年１０月２９日付けで拒絶査定がなされ、これに対して、平成２３年２月２５日付けで拒絶査定不服審判の請求がなされたものである。
　その後、当審において、平成２４年６月５日付けで拒絶理由が通知され、これに対して、平成２４年８月３１日付けで意見書が提出されるとともに、同日付けで手続補正がなされたものである。
　
２．本願発明
　本願の特許請求の範囲の請求項１ないし２３に係る発明は、平成２４年８月３１日付け手続補正により補正された特許請求の範囲、明細書及び図面の記載からみて、その特許請求の範囲の請求項１ないし２３に記載されたとおりのものであると認められるところ、請求項１に係る発明（以下、「本願発明」という。）は、以下のとおりである。
　「パンツ型おむつ、衛生パンツあるいは失禁用パンツのようなパンツ型吸収用品(１)であって、
　前記用品は、吸収コア(２)を具備してなるコア領域(３)と、前記コア領域を取り囲む基体(４)と、を有し、
　前記基体は、前部、後部およびウエスト部領域(５,６および７)を具備してなると共に、前記コア領域は少なくとも前記用品の股部(１９)に配置されており、
　液体不透過性背面シート(９)が、前記吸収コア(２)の着衣に面する側の、少なくとも前記コア領域(３)に配置されており、
　液体透過性表面シート(８)が、前記吸収コア(２)の着用者に面する側の、少なくとも前記コア領域(３)に配置されており、
　前記用品は縦方向(Ｙ)および横方向(Ｘ)を有しており、
　前記用品は、前記基体領域(４)の少なくとも一部において、前記用品の全表面積の少なくとも２０％に関して前記基体の単一の構成要素として設けられた弾性ウェブ材(１１)の形態の外側カバーシート(１０)を具備してなり、前記弾性ウェブ材は、少なくとも４０％の不透明度および１００ｇ／ｍ2以下の坪量を有し、
　前記弾性ウェブ材は、繊維材からなる第１および第２の層(１２ａ,１２ｂ)と、この第１および第２の繊維層間に配置された弾性フィルム層(１３)と、からなるラミネート(１１)であり、前記第１および第２の層(１２ａ,１２ｂ)と、前記弾性フィルム層(１３)と、は全面にわたって密着しており、かつ、前記弾性フィルム層(１３)は、通気性を有すると共に、不透明化フィラーを含むことを特徴とするパンツ型吸収用品(１)。」
　
３．引用例
　これに対して、当審で通知した拒絶理由に引用された本願出願前に頒布された刊行物である米国特許出願公開第２００４／０１２２４０５号明細書（以下、「引用例１」という。）、特開平６−２５５００６号公報（以下、「引用例２」という。）、国際公開第２００４／０５８１２０号（以下、「引用例３」という。）及び特開平１１−２７６５２３号公報（以下、「引用例４」という。）には、それぞれ以下の各事項が記載されている（括弧内は、日本語訳）。
　
［引用例１について］
（１ａ）「The present invention relates generally to disposable undergarments, and in particular, to an undergarment having a stretchable absorbent insert, and to the method for the use thereof.」（本発明は、一般に使い捨ての下着、特に、伸縮自在で吸収性の挿入物を備えた下着及び、その使用のための方法に関する。）（段落［０００１］参照）
　
（１ｂ）「Disposable undergarments can be configured in many different forms. For example, disposable absorbent garments can be configured as a pant-type, pull-on garment, or as a diaper-type product that is drawn up between the legs and fastened about the waist with various fastening systems.・・・」（使い捨ての下着は、様々な形式で形成することができる。例えば、使い捨ての吸収性の衣料は、パンツ型、プル・オン衣料、あるいは脚の間で引き上げられ、様々な固定具によりウエスト付近で固定される、おむつ型製品として形成することができる。・・・）（段落［０００２］参照）
　
（１ｃ）「Referring to FIGS.6 - 9 , an undergarment 2  has a body chassis member 8  that includes a first, front body panel 4  and a second, rear body panel 6 .・・・ 
   The first and second body panels each have an inner, bodyside surface  10  and an outer, garment side surface 12 . The first, front body panel  4  has a first terminal edge 14 formed along the crotch region of the garment and a second terminal edge 20 formed along the waist region of the garment. In one embodiment, the second first and second terminal edges are linear but can assume other shapes. Likewise, the second, rear body panel 6  has a first terminal edge 22  formed along the crotch region of the garment and a second terminal edge 28  that is formed along the waist region of the garment. In one embodiment, the first and second terminal edges are linear but can assume other shapes. ・・・In one embodiment, the terminal edges 14,22  of the first and second body panels are spaced apart in the crotch region so as to form a gap or space 34  therebetween.」（図６−９を参照すると、下着2には、第１、前側胴パネル4及び第２、後側胴パネル6を含む胴基体部材8を備えている。・・・
　第１及び第２胴パネルは、各々内側、身体側面10及び外側、衣服側面12を備えている。第１、前側胴パネル4には、衣料の股領域沿って形成された第１端縁14を備え、第２端縁20は、衣料のウエスト領域に沿って形成されている。１つの実施例としては、第１及び第２端縁は、直線であるが、他の形としてもよい。同様に、第２、後側胴パネル6には、衣料の股領域に沿って形成された第１端縁16を備え、第２端縁28は、衣料のウエスト領域に沿って形成されている。１つの実施例としては、第１及び第２端縁は、直線であるが、他の形としてもよい。・・・１つの実施例では、第１及び第２胴パネルの14、22は、それらの間でギャップまたは間隔34を形成するよう股部で離れている。）（段落［００２６］−［００２７］参照）
　
（１ｄ）「Referring to FIGS. 2 - 5  and 7 - 9 , each body panel 4,  6 ,104,106  is preferably formed as a composite, or laminate material, otherwise referred to as substrates or laminates, with an elastic core  36 ,  136  sandwiched therebetween. In one embodiment, the elastic core  36, 136  is made of an elastomeric film or nonwoven elastic or stretchable material including for example block copolymers of polystyrene, polyisoprene or polybutadiene, copolymers of ethylene, natural rubbers, urethanes, kratons, and co-extrusions/blends of the aforementioned material The elastic core can be formed as a membrane or from a plurality of elastic strands, as described above. In one embodiment, two or more layers  40,140,164,166  are bonded to the elastic core 36 , and/or each other, with various adhesives, such as hot melt, or by other techniques, including for example and without limitation ultrasonic bonding and heat pressure sealing. In one embodiment, the two layers are made of a non-woven material such as a spunbond material, a bonded carded material or other known materials. In this way, the body panels are made of a stretchable/elastic material.」（図２−５及び７−９を参照すると、各胴パネル4、6、104、106は、弾性コア36、136を間に挟んだ層または積層とも参照される、コンポジットまたは積層材として形成されている。１つの実施例としては、弾性コア36、136は、例えばポリスチレン、ポリイソプレンまたはポリブタジエンのブロック共重合体、エチレンの共重合体、天然ゴム、ウレタン、クレイトン、及びそれらが共押し出しまたは混合されたものを含む弾性フィルムまたは不織布の弾性若しくは伸縮自在材料で作られている。弾性コアは、上述したように薄膜として形成されるか、または複数のストランドを形成する。1つの実施例としては、２つ以上の層40、140、164、166は、ホットメルトのような様々な接着剤、あるいは例として超音波接合及び熱加圧シールを含むがこれらには限られない他の技術によって弾性コア36及び／または互いに接合される。１つの実施例としては、２つの層は、スパンボンド材料、接合カード材料、または他の公知の材料などの不織布で作られている。このように、胴パネルは、伸縮自在または弾性の材料で作られている。）（段落［００３２］参照）
　
（１ｅ）「Referring to the embodiments of FIGS. 1 - 9 , an absorbent insert  50  is formed as a separate subassembly connected to a bodyside surface of the body chassis member 8 ,108  (・・・). ・・・ 
 　 In one embodiment, shown in  FIGS. 3, 4,8  and 9 , the absorbent insert  50  includes a substantially liquid permeable top sheet 64 , or liner, and a substantially liquid impermeable back sheet  66 . A retention portion 70  is disposed or sandwiched between the topsheet and the backsheet, which are connected.」（図１−９の実施例を参照すると、吸収性の挿入物50は、胴基体部材8、108の身体側面に別部材として結合している(・・・)。・・・
　１つの実施例として、図３、４、８及び９に示され、吸収性の挿入物50は、本質的に流体浸透性のトップシート64またはライナ及び、本質的に流体非浸透性バックシート66を備えている。保持部70は、トップシート及びバックシートの間に配置または挟まれ、それらは結合されている。）（段落［００４７］、［００４８］参照）
　
（１ｆ）「1.A disposable undergarment comprising: 
 a body panel; and 
 an absorbent insert comprising a back sheet connected to a top sheet and a retention portion disposed between said back sheet and said top sheet, wherein at least one of said back sheet and said top sheet is stretchable and comprises an elastic material, and wherein at least one of said back sheet and said top sheet is connected to said body panel. 
・・・
6 . The disposable undergarment of  claim 1  wherein said body panel comprises a front body panel comprising a terminal waist edge and a terminal crotch edge and a rear body panel comprising a terminal waist edge and a terminal crotch edge, wherein said terminal crotch edge of said rear body panel is longitudinally spaced from and forms a gap with said terminal crotch edge of said front body panel, and wherein said absorbent insert bridges said gap and is connected to said front and rear body panels.
7.The disposable undergarment of  claim 1  wherein said body panel comprises an elastic material. 
8.The disposable undergarment of  claim 7  wherein said body panel comprises a laminate comprising a non-woven material outer layer, an elastic core comprising said elastic material and a non-woven material inner layer.
・・・」（１．使い捨て下着は、胴パネル及び、トップシートに結合されたバックシート及び、前記トップシート及び前記バックシートの間に配置された保持部からなる吸収性の挿入物からなり、
　前記バックシート及び前記トップシートの少なくとも一つは伸縮可能で弾性材料からなり、前記バックシート及び前記トップシートの少なくとも一つは前記胴パネルに結合される。
・・・
６．クレーム１の使い捨て下着において、前記胴パネルは、ウエスト端縁及び股端縁を含む前側胴パネル並びにウエスト端縁及び股端縁を含む後側胴パネルからなり、前記後側胴パネルの前記股端縁は前記前側胴パネルの前記股端縁から長さ方向で間隔を有し、吸収性の挿入物がその間隔を繋ぎ、前記前側及び後側胴パネルを連結する。
７．クレーム１の使い捨て下着において、前記胴パネルが弾性材料を有する。
８．クレーム７の使い捨て下着において、前記胴パネルが不織布の外側層、弾性材料からなる弾性コア及び不織布の内側層からなる。
．．．）（クレーム参照）
　
（１ｇ）図５
　
（１ｈ）図６
　
（１ｉ）上記図５には、２つの層４０のそれぞれと弾性コア３６とは、全面にわたって密着していることが示されている。
　
　以上の記載によると、引用例１には、
「胴基体部材８及び吸収性の挿入物５０からなるパンツ型使い捨て下着において、
　吸収性の挿入物５０は、流体浸透性のトップシート６４及び流体非浸透性のバックシート６６を備え、保持部７０は、前記トップシート６４及び前記バックシート６６の間に配置され、
　前記胴基体部材８は、ウエスト端縁及び股端縁を含む前側胴パネル４並びにウエスト端縁及び股端縁を含む後側胴パネル６を備え、前記後側胴パネル６の前記股端縁は前記前側胴パネル４の前記股端縁から長さ方向で間隔を有し、吸収性の挿入物５０がその間隔を繋ぎ、前記前側及び後側胴パネル４、６を連結し、
　前記前側及び後側胴パネル４、６は、積層材であり、不織布の外側層４０、弾性フィルムからなる弾性コア３６及び不織布の内側層４０からなり、前記外側及び内側層４０、４０と前記弾性コア３６とは、全面にわたって密着しているパンツ型使い捨て下着。」の発明（以下、「引用発明」という。）が記載されていると認められる。
　
［引用例２について］
（２ａ）「【課題を解決するための手段】本発明は、嵩のある、ストレッチによってピロー部を形成した積層材料を形成するプロセスととその結果得られる積層材料に関する。・・・本発明に使用するのに適した材料は多数あるが、特によく機能する２つの特定の組み合わせは、第１層が熱可塑性フィルムであって第２層が不織布ファイバー・ウェブである場合、または、この他に、第１層と第２層の両方を不織布ファイバー・ウェブから作っている場合である。フィルム／不織布複合材料は、液体不浸透性であり、一方また柔軟性を有し、嵩のある感触を材料の一方の側に与えるという組み合わされた利点を有し、これによって、この複合材料は、おむつ、トレーニング・パンツ及び失禁衣料を含む個人ケア製品用の外部カバー材料として特に有用になる。不織布／不織布構成は、また個人ケア製品の領域でかかる製品のライナー材料としてまた特に有用性を有している。」（段落【０００５】参照）
　
（２ｂ）「本発明の材料はおむつ、女性用パッド、トレーニング・パンツ、大人用の失禁製品、衛生ナプキン、包帯等の個人用ケアの用途を含む広範な用途を有しているが、これらに限定されるものではない。・・・第１層と第２層１２と１４は、フィルム、不織布材料、織布材料、ニット、スクリム（ｓｃｒｉｍ）及びティッシュを含む種々の材料から作ることができる。フィルムは、呼吸可能な材料または呼吸不可能な材料から作ることができる。更に、これらのフイルムには孔を開けることができる。フイルムを形成する場合、これらのフィルムは接着性を高めるために共に押し出してもよく、また酸化チタンのような不透明材と混入してもよい。・・・」（段落【０００９】参照）
　
（２ｃ）「例　５
例４では、本発明によるストレッチによってピロー部を形成した積層材料は、例１で説明したのと同じフィルムを使用して形成した。しかし、他の例と違って、この例では、嵩のある不織布層を図５に示すようにフィルム層のいずれかの側に取り付け、これによって３層構造を形成した。・・・表５から分かるように、ストレッチした複合積層材料の嵩（Ｂ2 ）は０．０１９５インチであり、坪量（ＢＷ2 ）は１．０２オンス／平方ヤードであった。このことは、これらの材料が非ストレッチ状態にあって嵩（Ｂ1 ）が０．０１１７インチであり、坪量（ＢＷ1 ）が１．２２６オンス／平方ヤードである場合のこれらの材料の嵩（Ｂ1 ）と坪量（ＢＷ1 ）に匹敵する。
・・・
　　　　　　　　　　　　　　表　５
例：不織布／フィルム／不織布
延伸可能層：　０．６５ミルの柔軟なポリプロピレン　　Ｖ１＝３．５
上部の嵩のある層：　０．３５ｏｚ／ｙｄ2 のＰＰスパンボンド
　　　　　　　　　（１．８ｄｐｆ）　　　　　　　　　Ｖ２＝３７
底部の嵩のある層：　０．４ｏｚ／ｙｄ2 のＰＰスパンボンド
　　　　　　　　　（２．２ｄｐｆ）　　　　　　　　　Ｖ２＝３７
積　　層：　熱点接着（接着面積１５％）　　　　　　　Ｖ０＝３７
　　　　　　　　　　　　　　　　　　　　　　　　　　Ｖ３＝３５
処理条件：　　パターン・ロール温度：　　　　　　　　２７５°Ｆ
　　　　　　　アンビル・ロール温度：　　　　　　　　２７５°Ｆ
　　　　　　　ニップ圧：　　　　　　　　　　　　　　２５ｐｓｉ
嵩の向上：
非ストレッチ積層材料　嵩（Ｂ1 ）：０．０１１７″
　　　　　　　　　　坪量（ＢＷ1 ）：１．２２６ｏｚ／ｙｄ2 
ストレッチ積層材料    嵩（Ｂ2 ）：０．０１９″
　　　　　　　　　　坪量（ＢＷ2 ）：１．０２ｏｚ／ｙｄ2 
変化率　　　　　　　　嵩：  ６３％
　　　　　　　　　　坪量：  −１７％
ストレッチ率：　［（３７−３．５）／３．５］×１００＝９６０％
回復率：　　　　［（３７−３５）／（３７−３．５）］×１００＝６％
積層材料のテスト：  積層材料は２５％伸びた時点または２５％伸びる前に、不具合箇所を生じた。」（段落【００２２】、【００２３】参照）
　
　以上の記載によると、引用例２には、
　「おむつ等に用いる積層材料は、不織布／フィルム／不織布複合積層材料であって、その坪量が、１．０２oz/yd2（３４．６g/m2）である」こと及び、「積層材料におけるフィルムは、呼吸可能な材料で作られること及び酸化チタンのような不透明材を混入してもよい」ことが記載されている。
　
［引用例３について］
（３ａ）「FIELD OF THE INVENTION 
The present invention relates to disposable absorbent articles such as diapers and adult incontinence products, which collect and retain urine and fecal material deposited thereon by the wearer. The disposable absorbent articles of the present invention comprise a color-pigmented backsheet, which further comprises visually discernible ornamental designs printed thereon.」（技術分野
　本発明は、おむつ及び成人用失禁製品のような使い捨て吸収性物品に関し、これは装着者によりその上に排出された尿及び糞便物質を収集及び保持する。本発明の使い捨て吸収性物品は、着色されたバックシートを含み、これはその上に印刷された視覚的に識別できる装飾的意匠を更に含む。）（第１頁３〜７行参照）
　
（３ｂ）「BACKGROUND OF THE INVENTION
In short-period usage absorbent articles such as daytime diapers, light, thin and flexible materials are especially desirable to provide improved freedom of movement and increased comfort for the wearer. Therefore, it is preferred to apply materials like polymeric films or nonwoven webs with very low basis weights.
However, a drawback of a disposable article using very low basis weight materials is that these materials have an increased tendency to be translucent. It is difficult to manufacture thin materials, which provide a desired degree of opacity, because only a limited amount of whiteners, such as titanium dioxide, can be added without receiving materials, which are brittle and tend to disintegrate easily.
The problem of translucency in light, thin, and flexible absorbent articles is further increased by the fact, that such articles may comprise regions with only very few overlying layers of material. For example, in a diaper the use of a thin and relatively small absorbent core results in a relatively large area in the front and/or rear waist region of the diaper, which only comprises a topsheet and a backsheet overlying each other.
While light, thin and flexible diapers with improved freedom to move are highly appreciated by the consumer, translucency is usually disliked by the wearer or caretaker. The skin of the wearer is shining through the diaper in some areas and moreover, the structural features inside the diaper, like for example elastics or parts of the absorbent core, can be seen from the outside due to thin covering materials. Hence, the diaper tends to get a rather patchy appearance.」（背景技術
　昼間用おむつのような吸収性物品の短期間の使用では、運動の自由度の改善及び装着者の快適さの増加を提供するために、軽くて薄くて可撓性の材料が特に望ましい。そのため、ポリマーフィルム又は非常に低い坪量を有する不織布ウェブのような材料を適用することが好ましい。
　しかしながら非常に低い坪量の材料を用いる使い捨て物品の欠点は、これらの材料が半透明になる傾向が増加することである。所望の程度の不透明度を提供する薄い材料を製造することは困難であるが、これは脆性であり容易に分解する傾向がある材料を得ないようにするために、限られた量の増白剤、例えば二酸化チタンしか添加できないためである。
　軽くて薄くて可撓性の吸収性物品の半透明性の問題は、こうした物品が材料のオーバーレイ層をほとんど持たない領域を含む場合があるという事実により更に大きくなる。例えばおむつでは、薄く及び相対的に小さい吸収性コアの使用は、互いにオーバーレイするトップシート及びバックシートのみを含む相対的に大きな区域を、おむつの前部及び／又は後部ウエスト領域に生じる結果となる。
　運動の自由度が改善した、軽くて薄くて可撓性のおむつは消費者に高く評価される一方で、半透明性は、装着者又は介護者に普通は好まれない。装着者の皮膚が幾つかの区域ではおむつを透けて光り、その上、おむつ内部の構造機構、例えば弾性部又は吸収性コアの部分が、薄い被覆材料のために外側から見える。そのためおむつは、どちらかと言うとつぎはぎだらけの外観を呈する傾向がある。）（第１頁８〜末行参照）
　
（３ｃ）「The backsheet is generally the portion of the absorbent article positioned with the absorbent core between the backsheet and the topsheet. The backsheet may be joined with the topsheet. The backsheet prevents the exudates absorbed by the absorbent core and contained within the article from soiling other external articles that may contact the absorbent article, such as bed sheets and undergarments. The backsheet is impervious to liquids (e.g., urine) and comprises a laminate of at least one nonwoven and at least one polymeric film such as a thermoplastic film. The polymeric film preferably has a thickness from about 0.008 mm to about 0.060 mm, more preferably from about 0.010 mm to about 0.040 mm and even more preferably from about 0.010 mm to about 0.020 mm. The polymeric film may be breathable or non-breathable, thus the backsheet may be breathable or non-breathable.」（バックシートは、一般に、バックシートとトップシートとの間の吸収性コアと共に位置付けられる吸収性物品の部分である。バックシートは、トップシートと接合されてもよい。バックシートは、吸収性コアに吸収されて物品内に収容された滲出物が、吸収性物品と接触する場合がある他の外部物品、例えばベッドシーツ及び下着を汚すことを防止する。バックシートは液体（例えば尿）に不透過性であり、並びに少なくとも１つの不織布及び少なくとも１つのポリマーフィルム、例えば熱可塑性フィルムの積層体を含む。ポリマーフィルムは好ましくは、約０．００８ｍｍ〜約０．０６０ｍｍ、より好ましくは約０．０１０ｍｍ〜約０．０４０ｍｍ、更により好ましくは約０．０１０ｍｍ〜約０．０２０ｍｍの厚さを有する。ポリマーフィルムは通気性又は非通気性であってもよく、したがってバックシートは通気性又は非通気性であってもよい。）（第６頁１５〜２４行参照）
　
（３ｄ）「Preferably the backsheet has a basis weight from about 17 gsm to about 125 gsm (grams per square meter), more preferably from about 20 gsm to about 70 gsm and even more preferably from about 20 gsm to about 40 gsm, wherein the polymeric film has a basis weight from about 10 gsm to about 60 gsm, more preferably from about 10 gsm to about 30 gsm and even more preferably from about 10 gsm to about 20 gsm, and the nonwoven web has a basis weight from about 7 gsm to about 65 gsm, more preferably from about 10 gsm to about 40 gsm and even more preferably from about 10 gsm to about 20 gsm.」（好ましくはバックシートは、約１７ｇｓｍ〜約１２５ｇｓｍ（平方メートル当たりグラム）、より好ましくは約２０ｇｓｍ〜約７０ｇｓｍ、更により好ましくは約２０ｇｓｍ〜約４０ｇｓｍの坪量を有し、ポリマーフィルムは、約１０ｇｓｍ〜約６０ｇｓｍ、より好ましくは約１０ｇｓｍ〜約３０ｇｓｍ、更により好ましくは約１０ｇｓｍ〜約２０ｇｓｍの坪量を有し、及び不織布ウェブは、約７ｇｓｍ〜約６５ｇｓｍ、より好ましくは約１０ｇｓｍ〜約４０ｇｓｍ、更により好ましくは約１０ｇｓｍ〜約２０ｇｓｍの坪量を有する。）（第６頁下から７〜末行参照）
　
（３ｅ）「In a preferred embodiment of the present invention, an inorganic or organic filler (e.g. titanium dioxide) is added together with at least one second color pigment. Due to the titanium dioxide, the resulting polymeric film or nonwoven web gets a certain degree of opacity.」（本発明の好ましい実施形態では、無機又は有機充填剤（例えば二酸化チタン）が少なくとも１つの第二の着色色素と共に添加される。二酸化チタンのために、結果として生じるポリマーフィルム又は不織布ウェブはある程度の不透明度を得る。）（第９頁下から１０〜７行参照）
　
（３ｆ）「Opacity
The opacity of the backsheet of the present invention is preferably from about 55% to about 100%, more preferably from about 55% to about 95% and even more preferred from about 55% to about 80% and most preferred from about 60% to about 70%, According to the present invention opacity is measured in the area, where the polymeric film is covered by the nonwoven web. Preferably, the opacity is measured on the garment- facing surface of the backsheet and thus on the surface, where the nonwoven web is facing the viewer. Alternatively, the opacity is measured on the body-facing surface of the backsheet and thus on the surface, where the polymeric film is facing the viewer. Moreover, opacity is measured in the area outside the ornamental designs, thus for the color-pigmented area of the backsheet without comprising the printed area.」（不透明度
  本発明のバックシートの不透明度は、好ましくは約５５％〜約１００％、より好ましくは約５５％〜約９５％、更により好ましくは約５５％〜約８０％、最も好ましくは約６０％〜約７０％である。本発明によると、不透明度はポリマーフィルムが不織布ウェブにより覆われる区域で測定される。好ましくは、不透明度はバックシートの衣類に面する表面上で測定され、したがって不織布ウェブが観察者に面する表面上で測定される。あるいは不透明度はバックシートの身体に面する表面上で測定され、したがってポリマーフィルムが観察者に面する表面上で測定される。その上不透明度は、装飾的意匠の外側の区域で測定され、したがって印刷区域を含まないバックシートの着色区域について測定される。）（第１５頁下から８〜第１６頁３行参照）
　
　以上の記載によると、引用例３には、
　「使い捨て吸収性物品において、
　バックシートは、不織布及び通気性のポリマーフィルムの積層体であり、約１７ｇｓｍ〜約１２５ｇｓｍ（平方メートル当たりグラム）、より好ましくは約２０ｇｓｍ〜約７０ｇｓｍ、更により好ましくは約２０ｇｓｍ〜約４０ｇｓｍの坪量を有し、
　無機充填剤としての二酸化チタンにより、ポリマーフィルム又は不織布ウェブは、ある程度の不透明度を得て、
　上記バックシートの不透明度は、好ましくは約５５％〜約１００％、より好ましくは約５５％〜約９５％、更により好ましくは約５５％〜約８０％、最も好ましくは約６０％〜約７０％である」ことが記載されている。
　
［引用例４ついて］
（４ａ）「【発明の属する技術分野】本発明は、パンツ型使いすて着用物品に関し、更に詳しくは、下着の代替として用いられる軽度失禁用パンツ、生理用パンツ、幼児用トレーニングパンツなど、予めパンツ型に形成されているパンツ型使いすて着用物品に関する。」（段落【０００１】参照）
　
（４ｂ）「図２は、図１で示したパンツ型使いすて着用物品１のサイドシーム部６を開放展開した伸長状態を示す斜視図である。図２において、パンツ型使いすて着用物品１は、外装部材７と、外装部材７上にに配置された吸収性本体１１から形成されており、また、サイドシーム６を開放した外装部材７の側縁部はサイドフラップ８としてそれぞれ示されている。この場合、外装部材７は、外層シート９と、この上に積層された内層シート１０から形成されているが、外装部材７の前後見頃の腰周りに相当する部分は外層シート９のみからなり、内層シート１０は股下部分にのみ配置されており、さらに、吸収性本体１１も外装部材７の腰周りに相当する部分には存在せず、股下部分の内層シート１０上に配置されている。
　また、このような構成の着用物品では、外層シートのみからなる腰周りに相当する部分の面積の外装部材の面積に占める割合が４０〜７０％であることが好ましい。腰周りに相当する部分の面積の占める割合がこの範囲にあると、着用者へのフィット性に優れ、股下部分からの漏れのない、良好な下着のような着用感を有する着用物品を得ることができる。腰周りに相当する部分の面積の占める割合が４０％未満になると着用者へのフィット性が劣るようになり、一方、腰周りに相当する部分の面積の占める割合が７０％を越えて多くなると、吸収性本体を配置する股下部分の割合が少なくなり、排泄物の量が多い場合には股下部分からの漏れが多くなる可能性がある。」（段落【００１７】〜【００１８】参照）
　
　以上の記載によると、引用例４には、
　「パンツ型使いすて着用物品において、外層シートのみからなる腰周りに相当する部分の面積の外装部材の面積に占める割合が４０〜７０％であることが好ましい」ことが記載されている。
　
４．対比
　本願発明と引用発明とを対比すると、
　引用発明の「胴基体部材」、「吸収性の挿入物」及び「パンツ型使い捨て下着」は、それぞれ本願発明の「基体」、「コア領域」及び「パンツ型吸収用品」に相当し、引用発明の「胴基体部材」は、「吸収性の挿入物」を本願発明でいう「取り囲む」ように配置されているものと認められ、
　引用発明の「吸収性の挿入物」は、パンツ型使い捨て下着の股部に配置されていることは明らかであり、
　引用発明の「流体浸透性のトップシート」、「流体非浸透性のバックシート」及び「保持部」は、それぞれ本願発明の「液体透過性表面シート」、「液体不透過性背面シート」及び「吸収コア」に相当し、ここで、引用発明の「流体浸透性のトップシート」及び「流体非浸透性のバックシート」は、それぞれ着用者に面する側及び着衣に面する側に配置されていることは明らかであり、
　引用発明の胴基体部材の「前側胴パネル」及び「後側胴パネル」は、それぞれ本願発明の基体の「前部領域」及び「後部領域」に相当し、引用発明の「前側胴パネル」及び「後側胴パネル」のそれぞれのウエスト端縁の付近は、本願発明でいう「ウエスト部領域」に対応し、
　引用発明の前側及び後側胴パネルの「不織布の外側層」及び「不織布の内側層」は、本願発明の「繊維材からなる第１および第２の層」に相当し、引用発明の「弾性フィルムからなる弾性コア」は、本願発明の「弾性フィルム層」に相当し、
　引用発明の「不織布の外側層」、「不織布の内側層」及び「弾性フィルムからなる弾性コア」は、本願発明でいう積層材（ラミネート）である「弾性ウェブ材」を構成し、引用発明の「前側及び後側胴パネル」は、本願発明の「単一の構成要素として設けられ弾性ウェブ材の形態の外側カバーシート」ともいえ、
　引用発明の「パンツ型使い捨て下着」は、縦方向および横方向を有することは明らかなことより、両者は、
「パンツ型おむつ、衛生パンツあるいは失禁用パンツのようなパンツ型吸収用品であって、
　前記用品は、吸収コアを具備してなるコア領域と、前記コア領域を取り囲む基体と、を有し、
　前記基体は、前部、後部およびウエスト部領域を具備してなると共に、前記コア領域は少なくとも前記用品の股部に配置されており、
　液体不透過性背面シートが、前記吸収コアの着衣に面する側の、少なくとも前記コア領域に配置されており、
　液体透過性表面シートが、前記吸収コアの着用者に面する側の、少なくとも前記コア領域に配置されており、
　前記用品は縦方向および横方向を有しており、
　前記用品は、前記基体領域の少なくとも一部において、前記基体の単一の構成要素として設けられた弾性ウェブ材の形態の外側カバーシートを具備してなり、
　前記弾性ウェブ材は、繊維材からなる第１および第２の層と、この第１および第２の繊維層間に配置された弾性フィルム層と、からなるラミネートであり、前記第１および第２の層と、前記弾性フィルム層と、は全面にわたって密着しているパンツ型吸収用品。」
　である点で一致し、以下の各点で相違する。
　
　相違点１；本願発明では、外側カバーシートはパンツ型吸収用品の全表面積の少なくとも２０％に関して設けられているのに対し、引用発明では、前側及び後側胴パネルはそのような特定がない点。
　
　相違点２；本願発明では、前記弾性ウェブ材は、少なくとも４０％の不透明度および１００ｇ／ｍ2以下の坪量を有し、弾性フィルム層は、通気性を有すると共に、不透明化フィラーを含むのに対し、引用発明では、前側及び後側胴パネルはそのような特定がない点。
　
５．判断
　上記各相違点について検討すると、
・相違点１について
　引用例４には、パンツ型使いすて着用物品において、外層シートのみからなる腰周りに相当する部分（本願発明の基体の前部及び後部領域に相当。）の面積の外装部材の面積に占める割合が４０〜７０％であることが好ましいことが記載されていること、また、引用発明において、着用者の下腹部及び臀部を覆う前側及び後側胴パネルのパンツ型使い捨て下着の全表面に対する割合として２０％は、格別大きな割合とは認められないことより、
　引用発明において、前側及び後側胴パネルをパンツ型使い捨て下着の全表面積の２０％以上の大きさとし、上記相違点１の本願発明のようになすことは、当業者が容易になし得たものである。
　
・相違点２について
（ア）本願発明において弾性ウェブ材の坪量の上限を規定しているのは、本願明細書の段落【００９５】の記載から、主にコスト的な理由と認められるところ、使い捨てのおむつ等において、コストを低くすることは通常求められることであって、使用する材料を少なくすることによりそのコストを低くすることも当業者なら容易に想到しうる事項と認められ、また、引用例２には、おむつ等に用いる積層材料が引用発明と同様な不織布／フィルム／不織布複合積層材料であって、その坪量が１．０２oz/yd2（３４．６g/m2）であることの記載からすると、坪量が１００ｇ／ｍ2は格別小さな値とは認められないことより、引用発明の前側及び後側胴パネルの坪量を１００ｇ／ｍ2以下とすることは、当業者が容易になし得たものと認められる。
（イ）パンツ型おむつ等は、通常不透明性が求められるものであり（例えば、上記記載事項（３ｂ）参照）、また、引用例３には、不織布及びポリマーフィルムの積層体であるバックシートの不透明度は５５％以上が好ましいこと記載されているように、４０％の不透明度は格別に高い値とは認められないこと、そして、引用例２には、引用発明と同様な積層材料のフィルムに酸化チタンのような不透明材を混入することの示唆があることから、引用発明において、弾性フィルムからなる弾性コアに不透明材を混入し、前側及び後側胴パネルの不透明度を４０％以上とすることは、当業者が容易になし得たものと認められる。
（ウ）おむつ等において、むれを防ぐために通気性を有する素材を用いることは、本願出願前周知の技術であり、また、引用例２には、引用発明と同様な積層材料において、フィルムを呼吸可能な（通気性を有する）材料で作ることが示唆されていることから、引用発明の弾性フィルムからなる弾性コアを、通気性を有するものとすることは、当業者が容易になし得たものと認められる。
　
　そして、引用発明の前側及び後側胴パネルを、上記（ア）〜（ウ）に係る構成を兼ね備えたものとなすことは、引用文献３に小さな坪量の織布及びポリマーフィルムの積層体であるバックシートにおいて、ポリマーフィルムに無機充填剤としての二酸化チタンを添加し、高い不透明度を得て、しかも通気性を有することが記載されていることからすると、技術的にみて格別な困難性は認められないことより、引用発明において、上記相違点２の本願発明のようになすことは、当業者が容易になし得たものである。
　
６．むすび
　以上のとおり、本願発明は、引用発明及び引用例２ないし４に記載された発明に基づいて、当業者が容易に発明をすることができたものであり、特許法第２９条第２項の規定により特許を受けることができないものであるから、本願は、他の請求項に係る発明について検討するまでもなく、拒絶をすべきものである。
　よって、結論のとおり審決する。